(57)【要約】ランプ安定器上のアースと接地の間に電圧がある場合に充電されるコンデンサを備える衝撃リスク（ＲＯＳ）防護回路を開示する。コンデンサが所定の閾値電圧を超えると、コンデンサによりゲートは制御回路内の三次巻線から電流を分路し、それによって三次巻線により安定器回路内の一次及び二次巻線に反映されるインピーダンスが低減する。低減したインピーダンスにより安定器の動作周波数は上昇し、安定器のアースと接地の間の電圧は、人体が接触しても安全なレベルに低下する。このようにして、安定器に接続されたランプを交換する人は、ランプの交換前にランプ安定器への電流を遮断できなくても、衝撃から守られる。  【選択図】図３
2010538425.tif 000002
【特許請求の範囲】
【請求項１】
ランプの衝撃リスク（ＲＯＳ）防護システムであって、前記システムは、
接地と安定器のアースの間に電圧がある時に充電されるコンデンサを有するＲＯＳセンサ回路と、
１つ又は複数のランプと前記安定器のアースとに接続された安定器回路と、
前記安定器回路と前記ＲＯＳ回路とに結合された制御回路とを備え、
前記コンデンサが所定の閾値電圧レベルを超える電圧まで充電されると、前記接地と前記安定器のアースの間の電圧が低下するシステム。
【請求項２】
前記所定の閾値電圧レベルが約７Ｖから約９Ｖの範囲である、請求項１に記載のシステム。
【請求項３】
前記所定の閾値電圧レベルが約８Ｖである、請求項２に記載のシステム。
【請求項４】
前記コンデンサの電圧が前記所定の閾値を超えると、前記制御回路内の三次巻線から電流を分路する、前記制御回路内のゲートを更に含む、請求項２に記載のシステム。
【請求項５】
前記三次巻線は、前記制御回路を前記安定器回路に結合する結合変圧器のフェライトコアに巻回される、請求項４に記載のシステム。
【請求項６】
前記安定器回路は、前記結合変圧器に巻回された一次及び二次巻線を更に備える、請求項５に記載のシステム。
【請求項７】
前記三次巻線のインピーダンスは、前記ゲートによって電流が前記巻線から分路されると低減する、請求項６に記載のシステム。
【請求項８】
前記安定器回路はインバータ回路を更に備え、前記三次巻線の前記低減したインピーダンスが前記一次及び二次巻線に反映されると、前記インバータ回路の動作周波数が増加する、請求項７に記載のシステム。
【請求項９】
前記インバータの前記動作周波数が増加すると、前記接地と前記安定器のアースの間の電圧が人体に安全なレベルまで低下する、請求項８に記載のシステム。
【請求項１０】
前記ゲートはＭＯＳＦＥＴである、請求項４に記載のシステム。
【請求項１１】
前記１つ又は複数のランプは直管蛍光ランプである、請求項１乃至１０のいずれか１項に記載のシステム。
【請求項１２】
人体への衝撃リスクを低減する安定器回路であって、前記安定器回路は、
フェライトコアに巻回された一次及び二次インダクタ巻線を有するインバータ回路と、
前記インバータ回路と少なくとも１つのランプとに結合された共振回路と、
前記インバータ回路と前記共振回路とに配線接続される制御回路であって、該制御回路を前記インバータ回路に誘導結合するために前記フェライトコアに巻回された三次巻線を含む制御回路と、
前記安定器の前記共振回路上のアースと接地の間に電圧がある時に充電されるコンデンサを有する、前記制御回路に配線接続されたＲＯＳセンサ回路とを備える安定器回路。
【請求項１３】
それを超えると前記安定器内の電圧が人体と接触しても安全なレベルにフォールドバックされる所定の閾値電圧レベルを更に含む、請求項１２に記載の安定器。
【請求項１４】
前記コンデンサが所定の閾値レベルを超えると、前記制御回路内のゲートが前記三次巻線への電流レベルを低減するようにさせる、請求項１３に記載の安定器。
【請求項１５】
前記三次巻線への前記低減された電流によって、前記一次及び二次巻線に反映されるインピーダンスが低減される、請求項１４に記載の安定器。
【請求項１６】
前記共振回路の動作周波数は、前記一次及び二次巻線に反映されるインピーダンスの低減に応じて上昇する、請求項１５に記載の安定器。
【請求項１７】
動作周波数が上昇すると、前記安定器のアースと前記接地の間の電圧が人体に接触しても安全なレベルまで低下する、請求項１６に記載の安定器。
【請求項１８】
衝撃リスク防護回路であって、
ランプ安定器の制御回路に接続された陰極と、第１の抵抗器と第１のコンデンサとに接続された陽極とを有する第１のダイオードと、
前記第１のダイオード、前記第１のコンデンサ及び前記第１の抵抗器の陽極に接続された陰極と、第２のコンデンサに接続された陽極とを有する第２のダイオードと、
第２のダイオードと第２のコンデンサの陽極に接続された陰極と、前記第１のコンデンサと前記第１の抵抗器とアースとに接続された陽極とを有する第３のダイオードと、
前記第２のコンデンサと接地とに結合された第２の抵抗器とを備え、
前記第１の抵抗器、前記第１のコンデンサ及び前記第３のダイオードは互いに並列に接続される衝撃リスク防護回路。
【請求項１９】
前記接地と前記ランプ安定器のアースの間に電圧がある場合に、前記第１のコンデンサが充電される、請求項１８に記載のＲＯＳ防護回路。
【請求項２０】
前記コンデンサは、事象のフィードバックループが開始されて、前記接地と前記ランプ安定器のアースの間の電圧を人体が接触しても安全なレベルに低下させる所定の閾値電圧レベルに達する、請求項１９に記載のＲＯＳ防護回路。
【発明の詳細な説明】
【技術分野】
【０００１】
本発明は、電子安定器に関するものである。この電子安定器は、特に、１つ又は複数の蛍光ランプを動作させる共振インバータ回路に関して適用され、以下ではそれを参照して記載する。しかし、後述の記載は、高輝度放電（ＨＩＤ）ランプ等にも適用できることを理解されたい。
【背景技術】
【０００２】
安定器は電灯等の負荷に電力を供給し、負荷に供給される電流を調整するために使用される電気装置である。安定器は、アークを維持し、成長させるのに十分なプラズマ（蒸気）を電離することによって、ランプを点灯させるための高電圧を供給する。アークが形成されると、安定器は適切に制御された電流の流れをランプに供給し、ランプが継続して点灯することが可能になる。
【０００３】
一般的には、電源からの交流（ＡＣ）電圧が整流され、適宜に調整された後、インバータはＤＣ電圧をＡＣに変換する。インバータは通常、駆動ゲート制御回路によって「オン」又は「オフ」に制御されるＭＯＳＦＥＴ等の、直列に接続された一対のスイッチを含む。
【０００４】
直管蛍光灯の安定器はＵＬ安全規格に適合することが必要であり、衝撃リスク（ＲＯＳ）の定量化を要求される。この規格を満たすには、直管蛍光灯（ＬＦＬ）の一端をソケットから外した時に、人体モデル（ＨＢＭ）を流れる電流の測定値がＵＬの規定する制限値未満であることが求められる。上記の種類のインバータは、一般には変圧器の絶縁をせず、ＵＬ安全規格の基準を超えるＲＯＳ電流を生成する可能性がある。このようなランプを交換する必要がある場合、交換する人が安全にランプを交換できるように、ランプへの電力を除去しなければならない。しかし実際には、電力を遮断する工程は省かれることが多い。更に危険なことに、作業員はランプのハウジングにソケットを入れたまま指を使ってランプ上にピンを並べることがよくある。作業員の身体部分が接地に接触すると、作業員の身体は回路を形成し、作業員の身体を高周波（例えば７０ｋＨｚ〜１５０ｋＨｚ）の電流パルスが流れると致命的な衝撃にさらされる危険性がある。
【先行技術文献】
【特許文献】
【０００５】
【特許文献１】米国特許公開第２００５／２１８８２９Ａ１号
【発明の概要】
【課題を解決するための手段】
【０００６】
以下の記載は、上記及びその他の問題点を克服する新規の方法及び装置を意図するものである。
【０００７】
一態様によれば、ランプの衝撃リスク（ＲＯＳ）防護システムは、接地と安定器のアースの間に電圧がある時に充電されるコンデンサを有するＲＯＳセンサ回路と、１つ又は複数のランプと安定器のアースとに接続された安定器回路と、安定器回路とＲＯＳ回路とに結合された制御回路とを備え、コンデンサが所定の閾値電圧レベルを超える電圧まで充電されると、接地と安定器のアースの間の電圧が低下する。
【０００８】
別の態様によれば、人体への衝撃リスクを低減する安定器回路は、フェライトコアに巻回された一次及び二次インダクタ巻線を有するインバータ回路と、インバータ回路と少なくとも１つのランプとに結合された共振回路と、インバータ回路と共振回路とに配線接続される制御回路であって、該制御回路をインバータ回路に誘導結合するためにフェライトコアに巻回された三次巻線を含む制御回路と、安定器の共振回路上のアースと接地の間に電圧がある時に充電されるコンデンサを有する、制御回路に配線接続されたＲＯＳセンサ回路とを備える。
【０００９】
更に別の態様によれば、衝撃リスク防護回路は、ランプ安定器の制御回路に接続された陰極と、第１の抵抗器と第１のコンデンサとに接続された陽極とを有する第１のダイオードと、第１のダイオード、第１のコンデンサ及び第１の抵抗器の陽極に接続された陰極と、第２のコンデンサに接続された陽極とを有する第２のダイオードと、第２のダイオードと第２のコンデンサの陽極に接続された陰極と、第１のコンデンサと第１の抵抗器とアースとに接続された陽極とを有する第３のダイオードとを備える。回路は更に、第２のコンデンサと接地とに結合された第２の抵抗器を含み、第１の抵抗器、第１のコンデンサ及び第３のダイオードは互いに並列に接続される。
【図面の簡単な説明】
【００１０】
【図１】衝撃リスク（ＲＯＳ）があるか否かを検知し、ある場合は人体への危害を防止するためにインバータ電圧を安全レベルにフォールドバックする複数の構成部品を含む安定器回路の概略図である。
【図２】安定器回路と、安定器回路に結合された対応する制御回路、及び電流レベルが許容範囲のＲＯＳ閾値レベルを超えているか否かを検知し、ＲＯＳ状態がある場合はこれを緩和するためにインバータに供給される電圧をフォールドバックするＲＯＳ防護回路の図である。
【図３】制御回路のより詳細な図である。
【図４】ＲＯＳ回路を示す図である。
【発明を実施するための形態】
【００１１】
図１を参照すると、安定器回路６は、衝撃リスク（ＲＯＳ）があるか否かを判定し、ある場合は人体への危害を防止するためにインバータ電圧を安全レベルにフォールドバックする複数の構成部品を含む。安定器は、直管蛍光ランプ等の１つ又は複数のランプ２４、２６．．．２８に結合される。安定器回路６は、ユーザーがランプを交換する際に電力を遮断できない場合にＲＯＳ状態を確実に緩和するため、ＲＯＳ回路（図４）と共に使用される。
【００１２】
安定器回路６は、インバータ回路８と、共振回路又は回路網１０と、クランプ回路１２とを含む。正の電圧端子１６から通じる電圧コンダクタ１４と、アース又は共通端子２０に接続された共通コンダクタ１８とを介して、ＤＣ電圧がインバータ８に供給される。後述するように、高周波バス２２が共振回路１０によって生成される。加えて、高周波バス２２は「＋Ｂ」と記載されているノードに接続され、一方、ノードは後述のように制御回路１０８に接続される。第１、第２．．．第ｎのランプ２４、２６．．．２８は、第１、第２．．．第ｎの安定器コンデンサ３０、３２．．．３４を介して高周波バスに結合される。従って、１つのランプを取り外しても、他のランプは継続して動作する。高周波バス２２には任意の数のランプを接続できるものと考えられる。例えば、各ランプ２４、２６．．．２８は、関連する安定器コンデンサ３０、３２．．．３４を介して高周波バス２２に結合される。各ランプ２４、２６．．．２８への電力は、それぞれのランプのコネクタ３６、３８を介して供給される。
【００１３】
インバータ８は、上下の、又は第１及び第２のアナログスイッチ４０及び４２、例えば共振回路１０を励起するためにコンダクタ１４と１８の間に直列に接続された（図示の）２つのｎチャネルＭＯＳＦＥＴデバイスを含む。２つのＰチャネルＭＯＳＦＥＴを構成しても良い。高周波バス２２はインバータ８と共振回路１０とによって生成され、共振インダクタ４４と、第１、第２及び第３のコンデンサ４６、４８、５０と同等のコンデンサを含む等価共振コンデンサと、ＤＣ電流がランプ２４、２６．．．２８を流れることを防止する安定器コンデンサ３０、３２．．．３４とを含む。安定器コンデンサ３０、３２．．．３４は、主に安定器コンデンサとして使用される。
【００１４】
スイッチ４０と４２は協働して、共振回路１０を励起する矩形波を共通ノード又は第１のノード５２に供給する。スイッチ４０及び４２から通じるゲート線又は制御線５４及び５６は、制御ノード又は第２のノード５８に接続される。各制御線５４、５６は、それぞれの抵抗器６０、６２を含む。
【００１５】
引き続き図１を参照すると、全体として６４、６５で示される第１及び第２のゲート駆動回路は、ノード５２と５８の間に接続され、共振回路１０内の瞬間電流変化率に比例する電圧を駆動インダクタ６８、７０に誘導するために、共振インダクタ４４に相互に結合された二次巻線である第１及び第２の駆動インダクタ６８、７０を含む。第１及び第２の二次インダクタ７２、７４は、第１及び第２のそれぞれの駆動インダクタ６８、７０と、ゲート制御線５４及び５６に直列に接続する。
【００１６】
ゲート駆動回路６４、６６は、上部と下部のスイッチ４０及び４２のそれぞれの動作を制御するために使用される。より具体的には、ゲート駆動回路６４、６６は、第１の半周期では上部スイッチ４０を「オン」状態に保ち、第２の半周期では下部スイッチ４２を「オン」状態に保つ。ノード５２で矩形波が生成され、共振回路１０を励起するために使用される。第１及び第２の双方向電圧クランプ７６、７８は二次インダクタ７２、７４にそれぞれ並列に接続され、各二次インダクタは背面接続された一対のツェーナダイオードを含む。双方向電圧クランプ７６、７８は、ゲート・ソース間電圧の正と負の変動を、背面接続されたツェーナダイオードの電圧定格によって定められるそれぞれの限度にクランプする。各々の双方向電圧クランプ７６、７８は、第１又は第２の二次インダクタ７２、７４のそれぞれと協働して、共振回路１０の両端間の電圧の基本周波数成分と、共振インダクタ４４内のＡＣ電流との位相角が、ランプの点灯中にゼロに近づくようにする。
【００１７】
直列に接続された抵抗器８０、８２は、共通ノード５２と共通コンダクタ１８の間に接続された抵抗器８４と協働して、ゲート駆動回路６４、６６の回生動作を開始する。上部及び下部コンデンサ９０、９２は、第１及び第２の二次インダクタ７２、７４とそれぞれ直列に接続される。始動プロセスにおいて、コンデンサ９０は抵抗器８０、８２、８４を介して電圧端子１６から充電される。コンデンサ９２の充電を防止するため、抵抗器９４はコンデンサ９２を分路する。これにより、最初にスイッチ４０と４２が同時にオンになることが防止される。コンデンサ９０の両端間の電圧は最初ゼロであり、始動プロセス中、直列に接続されたインダクタ６８と７２は、コンデンサ９０の充電の時間定数が比較的長いため、本質的に短絡回路として作用する。コンデンサ９０がスイッチ４０のゲート・ソース間電圧の閾値電圧（例えば２〜３ボルト）まで充電されると、スイッチ４０はオンになり、その結果、小さいバイアス電流がスイッチ４０を流れる。生じた電流によって、共通ドレンのクラスＡ増幅器構成内のスイッチ４０がバイアスされる。これにより十分な利得の増幅器が生成され、共振回路１０とゲート駆動回路６４との組み合わせが、コンデンサ９０とインダクタ７２を含む回路網の共振周波数に近いインバータの振動を開始させる回生作用を生じさせる。生成された周波数は共振回路１０の共振周波数よりも高周波であり、それによってインバータ８は共振回路網１０の共振周波数以上の周波数で動作することが可能になる。これにより共振電流が生成され、共振電流は、共通ノード５２で生成される電圧の基本波を遅延させるので、インバータ８はランプを点灯する前にソフトスイッチングモードで動作することが可能になる。従って、インバータ８は線形モードで動作を開始し、クラスＤスイッチモードに移行する。次いで、電流が共振回路１０を通って蓄積されると、高周波バス２２の電圧が上昇してランプを点灯させる一方で、ランプの点灯を経て導電アークモードへのソフトスイッチングモードが維持される。
【００１８】
安定器回路６の定常動作中、矩形波である共通ノード５２での電圧は、正端子１６の電圧の約半分である。コンデンサ９０に一旦は存在したバイアス電圧は消滅する。動作周波数は、コンデンサ９０とインダクタ７２とを含む第１の回路網９６と、コンデンサ９２とインダクタ７４とを含む第２の回路網９８との誘導性が等価であるような周波数である。すなわち、動作周波数は同一の第１及び第２の回路網９６、９８の共振周波数よりも高い。その結果、ゲート回路の移相が適切なものになり、インダクタ４４を流れる電流は共通ノード５２で生成される電圧の基本周波数を遅延させることが可能になる。従って、定常動作中、インバータ８のソフトスイッチングは維持される。
【００１９】
引き続き図１を参照すると、ランプ２４、２６．．．２８を始動するために生成される高電圧を制限するために、インバータ８の出力電圧は、直列に接続されたクランプ回路１２のクランプダイオード１００、１０２によってクランプされる。クランプ回路１２は更に、本質的に互いに並列に接続された第２及び第３のコンデンサ４８、５０を含む。各々のクランプダイオード１００、１０２は、関連する第２又は第３のコンデンサ４８、５０の両端に接続される。ランプの始動前は、各ランプ２４、２６．．．２８のインピーダンスは極めて高いと見られるので、ランプの回路は開かれている。共振回路１０は、コンデンサ３０、３２．．．３４、４６、４８、５０と、共振インダクタ４４とから構成され、準共振駆動される。共通ノード５２での出力電圧が上昇すると、クランプダイオード１００、１０２はクランプを開始して、第２及び第３のコンデンサ４８、５０の両端間の電圧の正負が変化することを防止し、インバータ８の構成部品の過熱を引き起こさない程度に出力電圧を制限する。クランプダイオード１００、１０２が第２及び第３のコンデンサ４８、５０をクランプすると、共振回路１０はコンデンサ３０、３２．．．３４、４６、及び共振インダクタ４４とから構成されるようになる。例えば、クランプダイオード１００、１０２が非導電状態の場合に共振が達成される。ランプが点灯すると、インピーダンスは急速に低下する。それに従って共通ノード５２における電圧が低下する。クランプダイオード１００、１０２は、第２及び第３のコンデンサ４８、５０をクランプする動作を中断し、安定器６は定常動作に入る。コンデンサ３０、３２．．．３４、４６、４８、５０及び共振インダクタ４４によって再び共振が指示される。
【００２０】
上述の方法で、インバータ８は、一方ではスイッチ４０、４２のソフトスイッチング状態を維持しつつ、共通ノード５２に高周波バスを形成する。高周波バスには点灯可能な十分な電圧があるので、インバータ８は残りのランプの点灯時に単一のランプを始動させることができる。
【００２１】
図２及び図３を参照すると、三次回路１０８はインバータ回路８に結合される。より具体的には、三次巻線又はインダクタ１１０は第１及び第２の二次インダクタ７２，７４に互いに結合され、回路１０８はノード＋Ｂを介して安定器回路６に配線接続される。共振回路１０も、アースされると考えられるノード「−Ｂ」を含む。この実施形態では、第１及び第２の双方向電圧クランプ７６、７８は任意に省いても良い。第１及び第２のツェーナダイオード１１４、１１６を含む補助又は第３の電圧クランプ１１２は、三次インダクタ１１０に並列に接続される。三次インダクタ１１０は第１及び第２の二次インダクタ７２、７４に互いに結合されるので、補助電圧クランプ１１２は第１及び第２のゲート回路６４、６６を同時にクランプする。
【００２２】
電圧クランプ１１２のツェーナダイオード１１４、１１６の値が異なっていれば、安定器６が電流を変更して、ランプ２４、２６．．．２８に供給される電力を変更できるようにするために有用である。周知のように、瞬間点灯式安定器ではランプ動作の初期モードはグローである。グローモードでは、ランプ電極の両端間の電圧は、例えば３００Ｖの高電圧である。ランプを流れる電流は一般的に動作電流よりも低く、例えば１８０ｍＡではなく４０ｍＡ又は５０ｍＡである。電極は加熱し、熱電極になる。電極が熱電極になると、電極はプラズマ内に電子を放出し、ランプが点灯する。ランプが点灯すると、各安定器は定格電流とは異なる定格電流レベルで動作するため、各々の安定器に異なる量の電力が供給される必要がある。
【００２３】
例えば、ランプ２４、２６．．．２８の点灯中、三次巻線１１０のクランプ電圧は上昇し、より大きいグロー電力が可能になる。ランプが始動した後、適正な定常状態電流が流れるように電圧をフォールドバックすることができる。この機能は、コントローラ１２０を介して実行可能である。
【００２４】
より具体的には、点灯前にコンデンサ１２２が放電され、ＭＯＳＦＥＴ等のスイッチ１２４がオフ状態になる。インバータ８が発振を開始すると、線１２６、１２８を経てコンデンサ１２２が充電される。三次巻線１１０は、ＭＯＳＦＥＴ１２４のドレン及びソースに結合された並列接続された第１及び第２のツェーナダイオード１１４、１１６によってクランプされる。コントローラ１２０内で高電力始動モードが利用されると、入力信号が高周波であるためコンデンサ１２２が充電され、ツェーナダイオード１１６がオンになり、それによりＭＯＳＦＥＴ１２４がオンになり、制御回路が制御を開始する。すなわち、コンデンサ１２２がＭＯＳＦＥＴ１２４の閾値電圧等の所定の電圧まで充電されると、ＭＯＳＦＥＴ１２４はオンになり、電流はＭＯＳＦＥＴ１２４のソース端子に接続された第２のツェーナダイオード１１６から分路される。コンデンサ１２２は抵抗器１４０と直列に接続され、コンデンサ１３２はＭＯＳＦＥＴ１２４のゲート及びドレンに接続される。ダイオード１５０は、抵抗器１４０とコンデンサ１２２に並列接続される。従って、三次巻線１１０がより高電圧でクランプすることにより、ランプ２４、２６．．．２８が始動するまでより大きいグロー電力を達成することができる。抵抗器１４８は、ＭＯＳＦＥＴ１２４のゲートとツェーナダイオード１１６の陽極とに結合される。回路１０８は更に、ダイオード１５２と、抵抗器１５４と、コンデンサ１５６と、ノード＋Ｂ（例えば安定器回路６の高周波バス２２へのタイインポイント）に接続された抵抗器１５８とを含む。
【００２５】
例えば約０．５秒から約１．０秒等の時間を経た後、ＭＯＳＦＥＴ１２４はオンになり、三次巻線１１０はより低い電圧でクランプされる。これにより、定常状態でのより低いランプ電力を達成できる。従って、ツェーナダイオード１１４、１１６を介した三次巻線１１０の電圧クランプのスイッチング等のクランプ電圧のスイッチングによって、グロー段階でランプ２４、２６．．．２８に印加される電力が上昇するが、この電力はフォールドバックされ、ランプ２４、２６．．．２８はランプ２４、２６．．．２８の通常の所定の電力レベルで動作することが可能になる。回路１０８は更にノード「Ａ」に結合することで、図４を参照して後述するＲＯＳ回路２００に結合することなる。
【００２６】
通常の瞬間始動機能、及び三次巻線１１０を制御することによる所定の定常状態電力制限の設定に加えて、安定器６は、安定器係数が異なる多様な用途でのプログラム始動、急速始動安定器又は瞬間始動安定器等として使用できる。
【００２７】
図４は、ノードＡを介して制御回路１０８に結合されたＲＯＳ防護回路２００を示す図である。ＲＯＳ回路２００は、ノードＡに接続されたダイオード２０２を備える。ダイオード２０２はダイオード２０４に並列に接続され、且つ互いに並列に接続された抵抗器２０８とコンデンサ２１０とに接続される。ダイオード２０６は、コンデンサ２１０及び抵抗器２０８にも並列に接続される。ダイオード２０４及びダイオード２０６は、抵抗器２１４に直列に接続されたコンデンサ２１２に接続される。抵抗器２１４は、接地２１６に直列に接続される。
【００２８】
一実施形態によれば、ＲＯＳ防護回路は、安定器のアース（例えばノード−Ｂ）とＲＯＳ回路２００内の接地２１６の間の電位差を検知する。電圧がある場合は、コンデンサ２１０が充電される。コンデンサ２１０が所定の閾値電圧（例えばこの実施形態では約８Ｖ）を超えると、ノード−Ｂと接地の間の電圧は許容不可能な高電圧になり、負傷の重大なリスクが生ずる。このような場合には、ノードＡの電圧が上昇し、ＭＯＳＦＥＴ１２４は電流を巻線１１０から分路する度合いを高め、巻線１１０のインピーダンスを低減し、その結果インピーダンスはインバータ回路８内の巻線７２及び７４に反映される。これにより、インバータの動作周波数が上昇し、ノード−Ｂと接地の間の電圧は安全レベルまで低下する。従って、コンデンサ２１０が充電されると、ノード−Ｂと接地の間の電位差がフォールドバックされる。
【００２９】
前述の実施形態は例示目的であり、本発明の革新性は本明細書に記載の特定の数値又は範囲に限定されないことを理解されたい。逆に、本発明の革新性は、当業者には理解されるように、適当ないずれの数値又は数値範囲を利用しても良く、又はその他の態様で含んでも良い。
【００３０】
本発明を好適な実施形態を参照して説明してきた。上述の詳細な説明を読めば当然ながら修正や変更が想定されるであろう。本発明は、これらの修正や変更の全てを含むことを意図している。
【図１】
2010538425.tif 000003
【図２】
2010538425.tif 000004
【図３】
2010538425.tif 000005
【図４】
2010538425.tif 000006
【国際調査報告】
2010538425.tif 000007
2010538425.tif 000008
2010538425.tif 000009